(57)【要約】【課題】医用従事者ごとに適切な医用情報を確認できるようにする。【解決手段】実施形態の医用情報配信システムは、医用装置あるいは周辺機器からの複数の医用情報を、前記医用装置の表示部または表示手段を有する複数の装置へ表示する表示制御部と、前記複数の医用情報のうち、前記医用装置および前記複数の装置の有する識別情報に基づいて表示内容を設定する表示内容設定部と、設定された前記複数の医用情報の表示内容を前記表示部および前記複数の装置へ送信する情報送信部とを備える。【選択図】図１
2015002987.tif 000002
【特許請求の範囲】
【請求項１】
医用装置あるいは周辺機器からの複数の医用情報を、前記医用装置の表示部または表示手段を有する複数の装置へ表示する表示制御部と、
前記複数の医用情報のうち、前記医用装置および前記複数の装置の有する識別情報に基づいて表示内容を設定する表示内容設定部と、
設定された前記複数の医用情報の表示内容を前記表示部および前記複数の装置へ送信する情報送信部と、
を備えた医用情報配信システム。
【請求項２】
前記識別情報は、前記医用装置および前記表示手段を有する複数の装置を参照する医療従事者の役割に基づく情報であることを特徴とする請求項１に記載の医用情報配信システム。
【請求項３】
前記識別情報は、前記医用装置および前記表示手段を有する複数の装置の配置に基づく情報であることを特徴とする請求項１に記載の医用情報配信システム。
【請求項４】
前記表示内容設定部は、前記医用装置又は前記周辺機器からの情報に基づいて決まる検査の進行状況に応じて前記表示内容を更新することを特徴とする請求項１乃至３のうちいずれか一つに記載の医用情報配信システム。
【請求項５】
前記表示内容設定部は、被検体の状態に基づいて前記表示内容を更新することを特徴とする請求項１乃至３のうちいずれか一つに記載の医用情報配信システム。
【請求項６】
前記表示内容は、表示する医用情報の種別、表示サイズ、表示位置を設定した情報であることを特徴とする請求項１乃至５のうちいずれか一つに記載の医用情報配信システム。
【請求項７】
前記医用情報は、Ｘ線照射情報、カメラ画像データ、生体波情報、周辺機器情報、ロードマップ画像データ、Ｘ線透視画像データのうちの少なくともいずれか一つである請求項１乃至６のうちいずれか一つに記載の医用情報配信システム。
【発明の詳細な説明】
【技術分野】
【０００１】
本発明の実施形態は、医用情報配信システムに関する。
【背景技術】
【０００２】
通常のカテーテル手技に加えて外科手術を並行して実施するＨｙｂｒｄ  Ａｐｐｒｏａｃｈと呼ばれる手技体系がある。このＨｙｂｒｉｄ  Ａｐｐｒｏａｃｈが実施される検査室や操作室には、例えば複数の画面に分割された大型ディスプレイや複数の小型ディスプレイが設置されており、これらの画面にはＸ線診断装置によって生成されるＸ線透視画像、造影剤によって血管が強調されたＸ線画像（ロードマップ画像）、切開部の様子を光学カメラで撮影したカメラ画像、心電図波形や呼吸波形、脳波形などの生体波情報、Ｘ線診断装置でＸ線が発生しているか否かを示すＸ線照射情報、Ｘ線診断装置の周辺に位置する超音波診断装置で生成された超音波画像や麻酔器などの動作を示す周辺機器情報、といった様々な医用情報が表示される。
【０００３】
一方、Ｈｙｂｒｉｄ  Ａｐｐｒｏａｃｈでは、例えばカテーテル手技担当者、外科手術担当者、麻酔担当者、生体波情報観察担当者、看護スタッフといった様々な医療従事者が検査室や操作室に混在し、各々の役割に沿った作業を行う。
【０００４】
上記のような場合、例えばある医療従事者にとってはディスプレイに表示させたい医用情報が、他の医療従事者にとっての所望の医用情報とは異なる可能性がある。あるいは、例えばディスプレイから離れて作業する医療従事者は、別の医療従事者に遮られてディスプレイに表示された医用情報を確認することが困難である可能性がある。
【先行技術文献】
【特許文献】
【０００５】
【特許文献１】特開２０１１−１７７３２６号公報
【発明の概要】
【発明が解決しようとする課題】
【０００６】
本発明が解決しようとする課題は、医用従事者ごとに適切な医用情報を確認できるようにすることである。
【課題を解決するための手段】
【０００７】
上記課題を解決するために、実施形態の医用情報配信システムは、医用装置あるいは周辺機器からの複数の医用情報を、前記医用装置の表示部または表示手段を有する複数の装置へ表示する表示制御部と、前記複数の医用情報のうち、前記医用装置および前記複数の装置の有する識別情報に基づいて表示内容を設定する表示内容設定部と、設定された前記複数の医用情報の表示内容を前記表示部および前記複数の装置へ送信する情報送信部とを備える。
【図面の簡単な説明】
【０００８】
【図１】実施形態におけるＸ線診断装置と周辺機器のブロック図である。
【図２】実施形態におけるＸ線診断装置の概略図である。
【図３】実施形態におけるフロー図である。
【図４】実施形態において表示機に表示される画面の概略図である。
【図５】実施形態における配信内容情報の概念図である。
【図６Ａ】実施形態において表示機に表示される画面の概略図である。
【図６Ｂ】実施形態において表示機に表示される画面の概略図である。
【図７】変形例における検査室と操作室の概略図である。
【発明を実施するための形態】
【０００９】
以下、本発明の実施形態について図面を参照しながら説明する。
【００１０】
本実施形態は、医用情報配信システムとしてのＸ線診断装置について説明する。まず、図１と図２を用いて本実施形態におけるＸ線診断装置１とその他の周辺機器の構成および関係を説明する。
【００１１】
図１は、本実施形態におけるＸ線診断装置とその他の周辺機器のブロック図であり、図２は本実施形態におけるＸ線診断装置の概略図である。図１における点線Ａ、点線Ｂ、点線Ｃで囲まれた構成は、それぞれ検査室、操作室、機械室に設けられる構成を示す。
【００１２】
図１又は図２に示すように、本実施形態におけるＸ線診断装置１は、システム制御部２、Ｘ線制御部３、Ｘ線照射部４、Ｃアーム５、Ｘ線検出部６、画像処理部７、記憶部８、動作機構制御部９、寝台１０、操作部１１ａ、操作部１１ｂ、医用情報入出力部１２、医用情報配信制御部１３、レール１４ａ、レール１４ｂ、レール１５ａ、レール１５ｂ、基台部１６、支柱部１７、Ｃアーム支持部１８を備える。Ｘ線照射部４、Ｃアーム５、Ｘ線検出部６、寝台１０、操作部１１ａ、レール１４ａ、レール１４ｂ、レール１５ａ、レール１５ｂ、基台部１６、支柱部１７、Ｃアーム支持部１８は検査室に設けられる。また、システム制御部２、Ｘ線制御部３、画像処理部７、記憶部８、動作機構制御部９、医用情報入出力部１２、医用情報配信制御部１３は機械室に設けられる。更に、操作部１１ｂは操作室に設けられる。
【００１３】
システム制御部２は、操作部１１ａあるいは操作部１１ｂを介したオペレータの指示に従って、Ｘ線制御部３に指示する。システム制御部２は、記憶部８に記憶された医用画像を医用情報入出力部１２に入力する。システム制御部２は、所定のタイミングにおいて所定の操作画面を生成し、医用情報入出力部１２に入力する。システム制御部２は、操作部１１ａあるいは操作部１１ｂを介したオペレータの指示に従ってＸ線制御部３にＸ線照射を指示すると、Ｘ線照射情報を医用情報入出力部１２に入力する。システム制御部２は、操作部１１ａあるいは操作部１１ｂを介したオペレータの指示に従ってＸ線制御部３にＸ線照射の停止を指示すると、Ｘ線照射情報の配信を停止するように医用情報入出力部１２に指示する。本実施形態において、システム制御部２は、操作部１１ａあるいは操作部１１ｂを介したオペレータの指示に従って、動作機構制御部９に指示する。
【００１４】
Ｘ線制御部３は、高電圧発生部を備えており、システム制御部２からの指示に従って、Ｘ線照射部４が有するＸ線管に電圧を印加させる。Ｘ線制御部３は、システム制御部２からの指示に従って、Ｘ線照射部４に印加していた電圧を停止させる。
【００１５】
Ｘ線照射部４は、Ｘ線管とＸ線絞りを有する。Ｘ線管は、Ｘ線制御部３の高電圧発生部から印加されるとＸ線を照射する。Ｘ線絞りは、動作機構制御部９からの指示に従って、Ｘ線管から照射されたＸ線の照射範囲を調整する。
【００１６】
Ｘ線検出部６は、Ｘ線照射部４から照射され寝台１０に載置された患者Ｐを透過したＸ線を検出する。Ｘ線検出部６は、検出したＸ線に基づく検出信号を生成し、生成した検出信号を画像処理部７に送信する。
【００１７】
画像処理部７は、Ｘ線検出部６から受信した検出信号に基づいて医用画像データを生成する。ここで医用画像データは、例えば、Ｘ線透視画像データやロードマップ画像データである。画像処理部７は、例えば、生成したＸ線透視画像データとロードマップ画像データを記憶部８に送信する。
【００１８】
記憶部８は、画像処理部７から受信した医用画像データを記憶する。記憶部８は、システム制御部２からの指示に従って、記憶した医用画像データを医用情報入出力部１２に入力する。
【００１９】
レール１４ａ、レール１４ｂは、例えば検査室天井に支持されており、動作機構制御部９からの指示に従って、レール１５ａ、レール１５ｂを図２における矢印Ｄの方向に移動させる。レール１５ａ、レール１５ｂは、動作機構制御部９からの指示に従って、基台部１６を図２における矢印Ｅの方向に移動させる。基台部１６は、動作機構制御部９からの指示に従って、支柱部１７を図２における矢印Ｆの方向に回動させる。支柱部１７は、動作機構制御部９からの指示に従って、Ｃアーム支持部１８を図２における矢印Ｇの方向に回動させる。Ｃアーム支持部１８は、動作機構制御部９からの指示に従って、Ｃアーム５を図２における矢印Ｈの方向にスライドさせる。Ｃアーム５は、Ｘ線照射部４とＸ線検出部６が対向するようにそれぞれを端部に保持する。
【００２０】
動作機構制御部９は、システム制御部２からの指示に従って、前述のＸ線絞りの動作を制御し、Ｘ線の照射範囲を制御する。動作機構制御部９は、システム制御部２からの指示に従って、レール１４ａ、レール１４ｂ、レール１５ａ、レール１５ｂ、基台部１６、支柱部１７、Ｃアーム支持部１８の動作を指示し、Ｘ線照射部４およびＸ線検出部６の位置や角度を変更させる。動作機構制御部９は、システム制御部２からの指示に従って、寝台１０の動作を指示し、寝台１０に載置された患者Ｐの位置を移動させる。
【００２１】
寝台１０は、患者Ｐを載置させ、動作機構制御部９からの指示に従って、患者Ｐの位置を例えば図２における矢印Ｉ、Ｊの方向に移動させる。
【００２２】
操作部１１ａは、例えばレバーやスイッチを備え、オペレータは操作部１１ａを介して、Ｘ線の照射指示、Ｘ線の照射の停止指示、動作機構制御部９への指示、をシステム制御部２に対して行う。操作部１１ｂは、例えばレバーやスイッチ、マウスやキーボードを備え、オペレータは操作部１１ｂを介して、Ｘ線の照射指示、Ｘ線の照射の停止指示、動作機構制御部９への指示、操作室用ディスプレイに表示される所定の操作画面への指示をシステム制御部２に対して行う。
【００２３】
脳波計２１は、周辺機器であり、患者Ｐの脳波を計測する。脳波計２１は、計測した脳波を生体波情報として医用情報入出力部１２に入力する。
【００２４】
人工呼吸器２２は、周辺機器であり、患者Ｐの呼吸波を計測する。人工呼吸器２２は、計測した呼吸波を生体波情報として医用情報入出力部１２に入力する。
【００２５】
麻酔器２３は、周辺機器であり、例えば患者Ｐに対して使用している麻酔ガスの使用量を周辺機器情報として医用情報入出力部１２に入力する。
【００２６】
光学カメラ２４は、周辺機器であり、例えば患者Ｐの手術における切開部の様子を撮影し、カメラ画像データを生成する。光学カメラ２４は、生成したカメラ画像データを医用情報入出力部１２に入力する。
【００２７】
神経機能検査装置２５は、周辺機器であり、患者Ｐの心電図波形を計測する。神経機能検査装置２５は、計測した心電図波形を生体波情報として医用情報入出力部１２に入力する。
【００２８】
超音波診断装置２６は、周辺機器であり、患者Ｐの超音波診断画像データを生成する。超音波診断装置２６は、生成した超音波診断画像データを周辺機器情報として医用情報入出力部１２に入力する。
【００２９】
検査室用ディスプレイ３１は、出力先の一つとして検査室に設けられる。検査室用ディスプレイ３１は、表示手段を有し、医用情報入出力部１２から出力され配信された医用情報を表示する。
【００３０】
操作室用ディスプレイ３２は、出力先の一つとして操作室に設けられる。操作室用ディスプレイ３２は、表示手段を有し、医用情報入出力部１２から出力され配信された医用情報を表示する。
【００３１】
生体波情報モニタ３３は、出力先の一つとして検査室に設けられる。生体波情報モニタ３３は、表示手段を有し、医用情報入出力部１２から出力され配信された医用情報を表示する。
【００３２】
表示機３４は、例えばＸ線診断装置と無線あるいは有線で通信可能なタブレット端末であり、入力手段と表示手段を有するユーザインターフェイスである。表示機３４は、出力先の一つとして検査室あるいは操作室内の医療従事者によって持ち運びされる。本実施形態において、例えば表示機３４を使用する医療従事者が看護師である場合を仮定し、以下説明する。表示機３４は、当該入力手段を介した医療従事者の入力に従って、役割情報を登録する。表示機３４は、登録された役割情報を医用情報配信制御部１３に通知する。表示機３４は、医用情報入出力部１２から出力され配信された医用情報を表示する。なお、役割情報の詳細については後述する。
【００３３】
医用情報入出力部１２は、例えばシステム制御部２、記憶部８といったＸ線診断装置１の内部から医用情報が入力される。また、医用情報入出力部１２は、例えば脳波計２１、人工呼吸器２２、麻酔器２３、光学カメラ２４、神経機能検査装置２５、超音波診断装置２６といったＸ線診断装置１の外部から医用情報が入力される。更に、医用情報入出力部１２は、医用情報配信制御部１３からの指示に従って、例えば検査室用ディスプレイ３１、操作室用ディスプレイ３２、生体波情報モニタ３３、表示機３４などの外部に対して、入力された医用情報を出力する。
【００３４】
医用情報配信制御部１３は、予め登録情報として登録されているプリセット情報に基づいて、検査室用ディスプレイ３１、操作室用ディスプレイ３２、生体波情報モニタ３３に対して出力する医用情報を、医用情報入出力部１２に指示する。プリセット情報は、検査室用ディスプレイ３１、操作室用ディスプレイ３２、生体波情報モニタ３３に対して医用情報入出力部１２に出力させる医用情報を決める情報である。医用情報配信制御部１３は、プリセット情報に基づいて、システム制御部２から入力されたＸ線照射情報、記憶部８から入力されたＸ線透視画像データとロードマップ画像データ、脳波計２１、人工呼吸器２２、神経機能検査装置２５から入力された生体波情報、麻酔器２３、超音波診断装置２６から入力された周辺機器情報、光学カメラ２４から入力されたカメラ画像データを検査室用ディスプレイ３１に出力するように、医用情報入出力部１２に対して指示する。医用情報配信制御部１３は、プリセット情報に基づいて、システム制御部２から入力されたＸ線照射情報、記憶部８から入力されたロードマップ画像データ、光学カメラ２４から入力されたカメラ画像データを操作室用ディスプレイ３２に出力するように、医用情報入出力部１２に対して指示する。医用情報配信制御部１３は、プリセット情報に基づいて、例えば、脳波計２１、人工呼吸器２２、神経機能検査装置２５から入力された生体波情報を生体波情報モニタ３３に出力するように、医用情報入出力部１２に対して指示する。
【００３５】
また、医用情報配信制御部１３は、表示機３４から通知される役割情報に基づいて、配信内容情報を登録する。医用情報配信制御部１３は、登録情報として登録された配信内容情報に基づいて、医用情報入出力部１２が表示機３４に対して出力する医用情報を、医用情報入出力部１２に指示する。配信内容情報についての詳細は後述する。
【００３６】
次に、本実施形態の医用情報入出力部１２への医用情報の入出力の流れを、図３乃至図６のいずれかを用いて説明する。
【００３７】
図３は、本実施形態の医用情報入出力部１２への医用情報の入出力の流れを示すフロー図である。なお図３に示すステップＳ１およびステップＳ２は検査開始前の時点のフローを示し、ステップＳ３以降は検査開始後のフローを示す。
【００３８】
ステップＳ１において、表示機３４を使用する看護師は、表示機３４を起動させ、役割情報を登録する。
【００３９】
図４は、例えば表示機３４の起動時において、表示機３４の表示手段に表示される画面の概略図である。図４に示すように、このときの表示機３４の表示手段の画面は、役割情報欄４１を備える。役割情報欄４１は、例えば、外科補佐の準備担当、外科補佐の手技担当、外科補佐の直接支援担当、ＩＶＲ（Ｉｎｔｅｒｖｅｎｔｉｏｎａｌ Ｒａｄｉｏｌｏｇｙ）補佐の直接支援担当、ＩＶＲ補佐の手技担当、ＩＶＲ補佐の準備担当、操作室補佐、といったように複数の役割情報を備える。なお、外科補佐の準備担当は、例えば、メスなどの医療機器や使用する薬剤を準備する役割である。外科補佐の手技担当は、例えば麻酔器などを使用して外科手術を支援する役割である。外科補佐の直接支援担当は、例えば外科医師にメスなどの医療機器を手渡す役割である。ＩＶＲ補佐の直接支援担当は、例えばＩＶＲ担当医師にカテーテルなどの医療機器を手渡す役割である。ＩＶＲ補佐の手技担当は、例えば超音波診断装置などを使用してＩＶＲ手技を支援する役割である。ＩＶＲ補佐の準備担当は、例えばカテーテルなどの医療機器や使用する薬剤を準備する役割である。操作室補佐は、操作室内で外科手術とＩＶＲ手技の全体を支援する役割である。
【００４０】
表示機３４を使用する看護師は、図４に示すような画面が表示手段に表示されると、表示機３４の入力手段を介して、自分に役割に該当する役割情報を選択する。表示機３４を使用する看護師によって役割情報が選択されると、表示機３４は、選択された役割情報を、表示機３４を使用する看護師の役割に該当する役割情報として登録し、登録された役割情報を医用情報配信制御部１３に通知する。
【００４１】
ステップＳ２において、役割情報が通知されると、医用情報配信制御部１３は、配信内容情報を登録する。
【００４２】
図５は、配信内容情報の登録を説明するために便宜的に用いる配信内容設定テーブル５１の概略図である。医用情報配信制御部１３は、例えば配信内容設定テーブル５１と、表示機３４から通知された役割情報に基づいて、表示機３４に対応する配信内容情報を登録する。
【００４３】
例えば、表示機３４から通知された役割情報が外科補佐の準備担当である場合、医用情報配信制御部１３は、表示機３４に対応する配信内容情報としてＸ線照射情報、カメラ画像データ情報、生体波情報を登録する。これは、外科補佐の準備担当の役割を有する看護師は、例えばメスなどの手術機器の準備のために手術の進み具合を確認できるカメラ画像が必要であり、患者の状態に即した薬剤を準備するために生体波情報が必要であり、Ｘ線による被曝を極力避けるためにＸ線照射情報が必要であることに起因する。
【００４４】
ここで、配信内容は後述するＸ線照射情報、カメラ画像データ情報、生体情報等の医用情報の他に医用情報の種別、表示サイズ、表示位置に関する情報も含む。なお、役割情報（操作者情報、操作者位置情報を含む）に応じて医用情報の種別、表示サイズ、表示位置に関する情報を予め設定してもよい。
【００４５】
例えば、表示機３４から通知された役割情報が外科補佐の手技担当である場合、表示機３４に対応する配信内容情報として周辺機器情報、生体波情報を登録する。これは、外科補佐の手技担当の役割を有する看護師は、例えば自分の使用する周辺機器の状態を知るために周辺機器情報が必要であり、手術中の患者の状態を知るために生体波情報が必要であることに起因する。
【００４６】
例えば、表示機３４から通知された役割情報が外科補佐の直接支援担当である場合、表示機３４に対応する配信内容情報としてＸ線照射情報、生体波情報を登録する。これは、外科補佐の直接支援担当の役割を有する看護師は、Ｘ線による被曝を極力避けるためにＸ線照射情報が必要であり、手術中の患者の状態を知るために生体波情報が必要であることに起因する。
【００４７】
例えば、表示機３４から通知された役割情報がＩＶＲ補佐の直接支援担当である場合、表示機３４に対応する配信内容情報としてＸ線照射情報、カメラ画像データ、ロードマップ画像データを登録する。これは、ＩＶＲ補佐の直接支援担当の役割を有する看護師は、Ｘ線による被曝を極力避けるためにＸ線照射情報が必要であり、ＩＶＲに使用するカテーテル等を医師に渡すためにカメラ画像データとロードマップ画像データが必要であることに起因する。
【００４８】
例えば、表示機３４から通知された役割情報がＩＶＲ補佐の手技担当である場合、表示機３４に対応する配信内容情報としてＸ線照射情報、Ｘ線透視画像データ、周辺機器情報、生体波情報を登録する。これは、ＩＶＲ補佐の手技担当の役割を有する看護師は、Ｘ線による被曝を極力避けるためにＸ線照射情報が必要であり、手技の様子を観察するためにＸ線透視画像データが必要であり、自分の使用する周辺機器の状態を知るために周辺機器情報が必要であり、手術中の患者の状態を知るために生体波情報が必要であることに起因する。
【００４９】
例えば、表示機３４から通知された役割情報がＩＶＲ補佐の準備担当である場合、表示機３４に対応する配信内容情報としてＸ線照射情報、Ｘ線透視画像データ、カメラ画像データ情報、を登録する。これは、ＩＶＲ補佐の準備担当の役割を有する看護師は、Ｘ線による被曝を極力避けるためにＸ線照射情報が必要であり、手技の進行に沿って使用する機器や薬液の準備をするために手技の様子を観察できるＸ線透視画像データが必要であり、患者から離れた位置にいるので外科手術の進行状況を確認できるカメラ画像データが必要であることに起因する。
【００５０】
例えば、表示機３４から通知された役割情報が操作室補佐である場合、表示機３４に対応する配信内容情報としてＸ線照射情報、カメラ画像データ、ロードマップ画像データを登録する。これは、操作室補佐の役割を有する看護師は、検査室内で行われている大まかな状況を知るのに、例えばＸ線照射情報、カメラ画像データ、ロードマップ画像データ必要であることに起因する。
【００５１】
ステップＳ３において、検査が開始されると、医用情報入出力部１２には、様々な医用情報が入力される。
【００５２】
ステップＳ４において、医用情報配信制御部１３は、予め登録されているプリセット情報と、ステップＳ２において登録された配信内容情報に基づいて、医用情報入出力部１２が表示機３４に対して出力する医用情報を、医用情報入出力部１２に指示する。
【００５３】
例えば、表示機３４を使用する看護師が外科補佐の準備担当である場合、医用情報入出力部１２は、医用情報配信制御部１３からの指示に従って、システム制御部２から入力されたＸ線照射情報、光学カメラ２４から入力されたカメラ画像データ、脳波計２１、人工呼吸器２２、神経機能検査装置２５から入力された生体波情報を、表示機３４に対して出力する。
【００５４】
例えば、表示機３４を使用する看護師が外科補佐の手技担当である場合、医用情報入出力部１２は、医用情報配信制御部１３からの指示に従って、麻酔器２３、超音波診断装置２６から入力された周辺機器情報、脳波計２１、人工呼吸器２２、神経機能検査装置２５から入力された生体波情報を、表示機３４に対して出力する。
【００５５】
例えば、表示機３４を使用する看護師が外科補佐の直接支援担当である場合、医用情報入出力部１２は、医用情報配信制御部１３からの指示に従って、システム制御部２から入力されたＸ線照射情報、脳波計２１、人工呼吸器２２、神経機能検査装置２５から入力された生体波情報を、表示機３４に対して出力する。
【００５６】
例えば、表示機３４を使用する看護師がＩＶＲ補佐の手技担当である場合、医用情報入出力部１２は、医用情報配信制御部１３からの指示に従って、システム制御部２から入力されたＸ線照射情報、記憶部８から入力されたロードマップ画像データ、光学カメラ２４から入力されたカメラ画像データを、表示機３４に対して出力する。
【００５７】
例えば、表示機３４を使用する看護師がＩＶＲ補佐の手技担当である場合、医用情報入出力部１２は、医用情報配信制御部１３からの指示に従って、システム制御部２から入力されたＸ線照射情報、記憶部８から入力されたＸ線透視画像データ、超音波診断装置２６から入力された周辺機器情報、脳波計２１、人工呼吸器２２、神経機能検査装置２５から入力された生体波情報を、表示機３４に対して出力する。
【００５８】
例えば、表示機３４を使用する看護師がＩＶＲ補佐の準備担当である場合、医用情報入出力部１２は、医用情報配信制御部１３からの指示に従って、システム制御部２から入力されたＸ線照射情報、記憶部８から入力されたＸ線透視画像データ、光学カメラ２４から入力されたカメラ画像データを、表示機３４に対して出力する。
【００５９】
例えば、表示機３４を使用する看護師が操作室補佐である場合、医用情報入出力部１２は、医用情報配信制御部１３からの指示に従って、システム制御部２から入力されたＸ線照射情報、記憶部８から入力されたロードマップ画像データ、光学カメラ２４から入力されたカメラ画像データを、表示機３４に対して出力する。
【００６０】
一方で、医用情報入出力部１２は、医用情報配信制御部１３からの指示に従って、システム制御部２から入力されたＸ線照射情報、記憶部８から入力されたＸ線透視画像データとロードマップ画像データ、脳波計２１、人工呼吸器２２、神経機能検査装置２５から入力された生体波情報、麻酔器２３、超音波診断装置２６から入力された周辺機器情報、光学カメラ２４から入力されたカメラ画像データを検査室用ディスプレイ３１に出力する。また、医用情報入出力部１２は、医用情報配信制御部１３からの指示に従って、システム制御部２から入力されたＸ線照射情報、記憶部８から入力されたロードマップ画像データ、光学カメラ２４から入力されたカメラ画像データを操作室用ディスプレイ３２に出力する。更に、医用情報入出力部１２は、医用情報配信制御部１３からの指示に従って、脳波計２１、人工呼吸器２２、神経機能検査装置２５から入力された生体波情報を生体波情報モニタ３３に出力する。
【００６１】
ステップＳ５において、検査室用ディスプレイ３１、操作室用ディスプレイ３２、生体波情報モニタ３３、表示機３４は、各々に対して出力された医用情報を表示させる。
【００６２】
図６Ａ及び図６Ｂは、医用情報入出力部１２から医用情報が出力されたときに表示機３４の表示手段に表示される画面の概略図である。ここでは、例えば表示機３４を使用する看護師の役割が外科補佐の準備担当である場合を仮定し説明する。
【００６３】
医用情報入出力部１２から医用情報が出力されると、まず図６Ａに示すような画面が表示される。図６Ａに示すような画面は、医用情報入出力部１２から表示機３４に対して出力された医用情報の種類に対応する医用情報選択ボタン４２を備える。表示機３４の表示手段には、図６Ａに示すようにＸ線照射情報、カメラ画像データ、生体波情報にそれぞれ対応する医用情報選択ボタン４２が表示される。表示機３４を使用する看護師は、表示機３４の表示手段に表示された医用情報選択ボタン４２を、表示機３４の入力手段を介して選択する。表示機３４を使用する看護師によって一つの医用情報選択ボタン４２が選択されると、表示機３４の画面は図６Ｂに示すような画面に切り替わり、その医用情報選択ボタン４２に対応する医用情報入出力部１２から表示機３４に対して出力された医用情報が医用情報表示欄４３に表示される。なお、表示機３４を使用する看護師が医用情報表示欄４３の他に設けられた戻るボタン４４を選択すると、図６Ａに示すような画面に切り替わり、別の医用情報を参照可能になる。
【００６４】
以上説明したように、本実施形態におけるＸ線診断装置１は、Ｘ線診断装置１自身や周辺機器で生成された医用情報を医用情報入出力１２で一括管理し、医用情報配信制御部１３の指示に従って、所定の出力先に出力する。これによって、例えば、検査室用ディスプレイ３１や操作室用ディスプレイ３２に表示される医用情報が、表示機３４を使用する医用従事者の所望する医用情報でない場合においても、表示機３４に所望する医用情報を表示させ参照することができる。また、例えば表示機３４を使用する医療従事者が、検査室用ディスプレイ３１、操作室用ディスプレイ３２、生体波情報モニタ３３から離れて作業しており、別の医療従事者や医用機器に遮られて検査室用ディスプレイ３１、操作室用ディスプレイ３２、生体波情報モニタ３３に表示された所望する医用情報を確認することが困難な場合において、表示機３４に所望する医用情報を表示させ参照することができる。総じて、複数の医療従事者が混在するような状況においても、医用従事者ごとに適切な医用情報を確認できるようになる。
【００６５】
本実施形態では、役割情報と配信内容情報が図５に示すような内容である場合について説明したが、役割情報や配信内容情報をオペレータが任意に追加・変更できても良い。例えば、役割情報に外科担当医師、外科サポート担当医師、ＩＶＲ担当医師、ＩＶＲサポート担当医師といった他の医療従事者の役割に対応する役割情報が追加されても良い。また、例えばＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｉｓｔｅｍ）に保存されたＸ線ＣＴ画像やＭＲＩ画像などの医用画像データを取得し、当該医用画像データを配信内容情報に追加しても良い。あるいは、ＨＩＳ（Ｈｏｓｐｉｔａｌ  Ｉｎｆｏｒｍａｔｉｏｎ  Ｓｙｓｔｅｍ）やＲＩＳ（Ｒａｄｉｏｌｏｇｙ  Ｉｎｆｏｒｍａｔｉｏｎ  Ｓｙｓｔｅｍ）から患者のＩＤや氏名、生年月日などの画像付帯情報を取得し、当該画像付帯情報を配信内容情報に追加しても良い。
【００６６】
本実施形態では、表示機３４が一つであり、一人の医療従事者によって使用される場合について説明したが、表示機３４が複数あり、それぞれ複数の医療従事者によって使用されても良い。例えば検査室や操作室にいる全ての医療従事者に表示機３４を使用させた場合、表示機３４に表示される医用情報と重複するものを、検査室用ディスプレイ３１、操作室用ディスプレイ３２、生体波情報モニタ３３に必ずしも表示させる必要は無くなり、これによって、検査室用ディスプレイ３１、操作室用ディスプレイ３２、生体波情報モニタ３３などを小型化させることができる。また、検査室用ディスプレイ３１、操作室用ディスプレイ３２、生体波情報モニタ３３などの小型化によって空いたスペースを別の用途に使用できる。
【００６７】
本実施形態では、表示機３４で予め役割情報を登録し、登録した役割情報に対応する医用情報を医用情報入出力部１２が配信する場合について説明したが、例えば表示機３４の位置をＸ線診断装置１が取得し、検査室や操作室における表示機３４の位置によって役割が自動的に設定されても良い。これによって、表示機３４を使用する医療従事者は、その場所に応じた医用情報を参照することができる。
【００６８】
図７は、検査室Ａと操作室Ｂの概略図である。図７に示すように、検査室Ａ１（図１の点線Ａで囲まれた領域）は、点線で囲まれたエリアＤ、エリアＥ、エリアＦ、エリアＧ、エリアＨ、エリアＩを有する。また操作室Ｂ１（図１の点線Ｂで囲まれた領域）はエリアＪを有する。例えば、エリアＤに表示機３４が位置する場合、表示機３４を使用する医療従事者の役割は、外科補佐の準備担当に設定される。また、例えばエリアＥに表示機３４が位置する場合、表示機３４を使用する医療従事者の役割は、外科補佐の手技担当に設定される。例えばエリアＦに表示機３４が位置する場合、表示機３４を使用する医療従事者の役割は、外科補佐の直接支援担当に設定される。例えばエリアＧに表示機３４が位置する場合、表示機３４を使用する医療従事者の役割は、ＩＶＲ補佐の直接支援担当に設定される。例えばエリアＨに表示機３４が位置する場合、表示機３４を使用する医療従事者の役割は、ＩＶＲ補佐の手技担当に設定される。例えばエリアＩに表示機３４が位置する場合、表示機３４を使用する医療従事者の役割は、ＩＶＲ補佐の準備担当に設定される。例えばエリアＪに表示機３４が位置する場合、表示機３４を使用する医療従事者の役割は、操作室補佐に設定される。
【００６９】
上記は、例えばエリアＤ、エリアＥ、エリアＦ、エリアＧ、エリアＨ、エリアＩに表示機３４を設置可能なスタンドがそれぞれ設けられており、各エリアのスタンドに表示機３４を設置すると、各エリアに対応する役割情報が表示機３４の役割情報として医用情報配信制御部１３に登録されるような仕様であっても良い。
【００７０】
本実施形態では、役割情報に対応する配信内容情報が外科手術やＩＶＲ手技の進行状況によらず固定されている場合について説明したが、外科手術やＩＶＲ手技の進行状況によって自動的に役割情報に対応する配信内容情報を変化（更新）させても良い。これによって、より表示機３４を使用する医療従事者の所望の医用情報を配信することができる。
【００７１】
また、被検体の状態に基づいて自動的に役割情報に対応する配信内容情報を変化（更新）させ、ディスプレイ３１，３２、モニタ３３、表示機３４等の表示内容を変化（更新）させても良い。ここで、被検体の状態とは、被検体の生体状況、例えば、心拍状況、酸素濃度、輸血開始に伴う被検体の血圧状況、人工心肺開始に伴う被検体の血圧状況のことである。
【００７２】
本実施形態では、表示機３４を使用する医療従事者が、役割情報の登録を行う場合について説明したが、例えば、Ｘ線診断装置１のオペレータが操作部１１ｂを介して役割情報の登録を行っても良い。また、このときに役割情報と配信内容情報の対応関係の登録を行っても良い。上記の場合、例えば操作室用ディスプレイには配信内容設定テーブル５１が表示され、オペレータは操作部１１ｂを介して配信内容設定テーブル５１に入力する。
【００７３】
本実施形態では、検査室用ディスプレイ３１、操作室用ディスプレイ３２、生体波情報モニタ３３に出力する医用情報が、予め登録情報として登録されているプリセット情報に基づいて決まる場合について説明したが、表示機３４と同様に役割情報と配信内容情報に基づいて決定されても良い。この場合、役割情報と配信内容情報は、例えば検査室用ディスプレイ３１、操作室用ディスプレイ３２、生体波情報モニタ３３の設置位置や検査室用ディスプレイ３１、操作室用ディスプレイ３２、生体波情報モニタ３３を参照する医療従事者に基づいて決定される。また、この場合、例えば上記のようにＸ線診断装置１の操作部１１ｂを介して役割情報と配信内容情報の登録が行われる。
【００７４】
本実施形態では、表示機３４が図６Ｂに示すように、画面上に医用情報を一つずつ表示させる場合について説明したが、画面が分割され複数の医用情報を同時に表示させても良い。この場合、表示機３４を使用する医用従事者は、表示機３４を操作することなく複数の医用情報を参照することができ、操作の手間を省けるようになる。
【００７５】
本実施形態では、周辺機器からの医用情報が直接的に医用情報入出力部１２に入力される場合について説明したが、記憶部８への記憶を介して、間接的に医用情報入出力部１２に入力されても良い。
【００７６】
本実施形態では、Ｘ線診断装置１が医用情報入出力部１２および医用情報配信制御部１３を備える場合について説明したが、医用情報入出力部１２および医用情報配信制御部１３を独立させ、医用情報配信装置としても良い。この場合、医用情報入出力部１２および医用情報配信制御部１３を備えないＸ線診断装置に当該医用情報配信装置を接続させることで、本実施形態で説明したＸ線診断装置１と同様の効果を果たすことができる。
【００７７】
また、本実施形態では、医用情報配信システムを構成する医用情報入出力部１２および医用情報配信制御部１３を備えるものとしてＸ線診断装置１を例に挙げて説明したが、例えば、ＭＲＩ装置や超音波診断装置であってもよい。
【００７８】
以上、本発明の実施形態を説明したが、これら実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７９】
１・・・Ｘ線診断装置
２・・・システム制御部
３・・・Ｘ線制御部
４・・・Ｘ線照射部
５・・・Ｃアーム
６・・・Ｘ線検出部
７・・・画像処理部
８・・・記憶部
９・・・動作機構制御部
１０・・・寝台
１１ａ、１１ｂ・・・操作部
１２・・・医用情報入出力部
１３・・・医用情報配信制御部
１４ａ、１４ｂ、１５ａ、１５ｂ・・・レール
１６・・・基台部
１７・・・支柱部
１８・・・Ｃアーム支持部
２１・・・脳波計
２２・・・人工呼吸器
２３・・・麻酔器
２４・・・光学カメラ
２５・・・神経機能検査装置
２６・・・超音波診断装置
３１・・・検査室用ディスプレイ
３２・・・操作室用ディスプレイ
３３・・・生体情報モニタ
３４・・・表示機
４１・・・役割情報欄
５１・・・配信内容設定テーブル
【図１】
2015002987.tif 000003
【図２】
2015002987.tif 000004
【図３】
2015002987.tif 000005
【図４】
2015002987.tif 000006
【図５】
2015002987.tif 000007
【図６Ａ】
2015002987.tif 000008
【図６Ｂ】
2015002987.tif 000009
【図７】
2015002987.tif 000010